【事件の表示】
　特許第２９８５９５９号「カラ―撮像装置およびそれを用いた画像読み取り装置」の請求項１ないし５に係る特許に対する特許異議の申立てについて、次のとおり決定する。
【結　論】
　訂正を認める。
　特許第２９８５９５９号の請求項１ないし３に係る特許を取り消す。
【理　由】
１、 手続の経緯
　本件特許第2985959号の発明についての出願は、平成１１年１月１９日（優先権主張平成10年6月24日）に出願され、平成１１年１０月１日にその発明について特許権の設定登録がなされ、その後、窪田卓美、山下鐸夫、富樫光平より特許異議の申立がなされ、取消しの理由が通知され、その指定期間内である平成１２年１１月２４日に訂正請求がなされたものである。
　　
２、 訂正の適否
１） 訂正の内容
１-１） 訂正事項１
　発明の名称を、以下のとおり訂正する。
訂正前：カラー撮像装置およびそれを用いた画像読み取り装置
訂正後：画像読み取り装置
  　　
１-２） 訂正事項２
　特許請求の範囲の請求項１〜５について、もとの請求項１、２、5を基に請求項１とするほか、それに伴い、もとの請求項３を請求項２に、またもとの請求項４を請求項３に繰り上げ、以下の請求項1ないし３のように訂正する。
[請求項１]原稿の画像を読み取る画像読み取り装置であって、カラー撮像装置と、前記原稿を照射する光源と、前記光源から照射されて原稿面で反射あるいは原稿面を透過した光を反射する複数のミラーと、前記ミラーで反射した光を前記カラー撮像装置に集光する集光レンズと、前記カラー撮像装置、前記光源、前記ミラーおよび前記集光レンズが搭載されているキャリッジと、前記キャリッジを移動可能な駆動装置とを備え、
　前記カラー撮像装置は、基板上に、複数の撮像素子を直線上に配列した撮像素子列を複数列互いに平行に配置してなる撮像素子群を赤色、緑色および青色のそれぞれに対応して備え、各撮像素子列は撮像素子群内の他の撮像素子列に対して撮像素子の配列方向に個々の撮像素子の幅より小さくずらして配置され、前記赤色、緑色および青色に対応したすべての撮像素子列は互いに前記撮像素子の配列方向に対して垂直な副走査方向に個々の撮像素子の高さの２倍以上の整数倍の一定のピッチで等間隔に配列されており、
　前記駆動装置は、前記原稿の１ラインを読み取るごとに前記キャリッジを前記副走査方向へ前記撮像素子列の幅１列分だけ移動させる第１の速度で駆動可能、かつ前記撮像素子列のすべてが同一ラインを読み取るように前記第１の速度の整数倍の第２の速度で前記キャリッジを駆動可能であることを特徴とする画像読み取り装置。
  　　
[請求項２]前記撮像素子群は、第１の素子列と第２の素子列とからなり、前記第１の素子列に対して前記第２の素子列は個々の撮像素子の幅のほぼ半ピッチずらして配置されていることを特徴とする請求項１記載の画像読み取り装置。
  　　
[請求項３]前記カラー撮像装置は、撮像素子の受光面側に前記撮像素子の受光面積よりも小さい開口部を有し、撮像素子の周縁部への光を遮るシールド部を備えることを特徴とする請求項１または２記載の画像読み取り装置。
  　　
１-３） 訂正事項３
明細書の記載を以下のとおり訂正する。
ア） 明細書第３頁第２６〜２７行、第４頁第１、１５、20行の「カラー撮像装置」を、「画像読み取り装置」に訂正する。
イ） 明細書第４頁第１行の「各色に」を、「赤色、緑色および青色に」に訂正する。
ウ） 明細書第４頁第４行の「複数の」を、「すべての」に訂正する。
エ） 明細書第４頁第５行の「垂直方向」を、「垂直な副走査方向に」に訂正する。
オ） 明細書第４頁第６行の「整数倍のピッチで配列されているため、原稿に対してカラー撮像装置を」を、「整数倍の一定のピッチで等間隔で配列されているため、駆動装置によりキャリッジを原稿に対して」に訂正する。
カ） 明細書第４頁第１１行の「本発明の請求項２記載のカラー撮像装置によれば」を、「また」に訂正する。
キ） 明細書第４頁第１５行の「請求項３」を、「請求項２」に訂正する。
ク） 明細書第４頁第２０行の「請求項４」を、「請求項３」に訂正する。
ケ） 明細書第４頁第２５〜２７行の「本発明…できる。」を、削除する。
コ） 明細書第５頁第１１行の「ミラー６０」を、「ミラー６」に訂正する。
サ） 明細書第６頁第２９行、第７頁第２０行、第１０頁第８〜９行の「信号処理装置」を、「信号処理部」に訂正する。
　　
２） 訂正の目的の適否、新規事項の有無、及び特許請求の範囲の拡張・変更の存否
　訂正事項１は、訂正事項２の訂正に伴い付随的に生じる記載不備を解消するものであり、訂正事項２は、特許請求の範囲の減縮を目的とした明細書の訂正に該当し、訂正事項３は、訂正事項２の訂正に伴い付随的に生じる記載不備を解消するものであって、明りょうでない記載の釈明を目的とした明細書の訂正に該当する。いずれも、新規事項の追加に該当せず、実質上特許請求の範囲を拡張し、又は変更するものではない。
　　
３） 判断
　したがって、上記訂正は、特許法第１２０条の４第２項、及び第３項で準用する同第１２６条第２項、第３項の規定に適合するので、当該訂正を認める。
　　
３、 特許異議の申立の概要
３-１） 申立人窪田卓美は、甲第１号証（特開昭58-19081号公報）、甲第２号証（特開昭58-1381号公報）、甲第３号証（特開昭9-205520号公報）を提出し、請求項１〜５に係る発明の特許は、第２９条第２項の規定に違反してなされたものであるから、請求項１〜５に係る発明の特許を取り消すべき旨、
３-２） 申立人山下鐸夫は、甲第１号証（特開平7-273941号公報）、甲第２号証（特開平9-271030号公報）、甲第３号証（特開昭57-141178号公報）、甲第４号証（画像入力技術ハンドブック第124頁）、甲第５号証（特開平7-111561号公報）を提出し、請求項１〜５に係る発明の特許は、第２９条第２項の規定に違反してなされたものであるから、請求項１〜５に係る発明の特許を取り消すべき旨、
３-３） 申立人富樫光平は、甲第１号証（特開平7-273941号公報）、甲第２号証（特開平8-84218号公報）、甲第３号証（特開昭57-15481号公報）、甲第４号証（特開昭57-141178号公報）、甲第5号証（特開平7-30725号公報）を提出し、請求項１〜５に係る発明の特許は、第２９条第２項の規定に違反してなされたものであるから、請求項１〜５に係る発明の特許を取り消すべき旨、それぞれ主張している。
　　
４、 特許異議の申立てについての判断
１） 本件発明
　訂正明細書の請求項１〜３に係る発明は、訂正明細書の特許請求の範囲の請求項１〜３に記載されたとおりのものである（上記１-２）参照）。
　　
２） 引用刊行物に記載された発明
　当審で通知した取り消しの理由で引用した刊行物１（特開平7-273941号公報）には、以下（シ）〜（セ）の事項が記載されている。
（シ）「本発明は、原稿に光を照射しながら走査して、その反射光を固体撮像装置に結像し、原稿の画像情報を…読み取る画像読取装置…」（明細書第2頁右欄第22〜25行）
　　
（ス）「固体撮像装置であるCCD101…[0040]ここで、本発明の要部であるCCD101は、図２に示すように、一対の読取ライン（Ｒ1ラインとＲ2ライン、Ｇ1ラインとＧ2ライン、Ｂ1ラインとＢ2ラインをそれぞれ一対とする）が副走査方向にＬ2の拒理（間隔）を隔てて、主走査方向に、同一ピッチ、同一の画素サイズで、画素ピッチＰの1/2（位相にして180度）だけお互いにずらされて、一体的に配置された構成である。[0041]また、各一対の読取ラインは、それぞれ副走査方向にＬ1の拒理を隔てて、3個配置され、それぞれＲ、Ｇ、Ｂの色分解フィルターを有し、カラーの読み取りが行える構成である。」（明細書第5頁左欄第29〜44行）
　　
（セ）「Ｒ1ライン、Ｇ1ライン、Ｂ1ラインの各信号が、一対の読取ラインの副走査分の距離（Ｌ2）だけ遅延させるためのディレイメモリ103にそれぞれ送られることにより、1ライン目のデータ（Ｒ1ライン、Ｇ1ライン、Ｂ1ライン）と2ライン目のデータ（Ｒ2ライン、Ｇ2ライン、Ｂ2ライン）とが、原稿の同一ラインの読取信号となる。[0043]次に、ＧおよびＢのデータが色画素間の距離（Ｌ1あるいは2ＸＬ1）分を遅延させるためのディレイメモリ104に送られ、原稿の同一位置のＲ、Ｇ、Ｂの画像信号が得られる。」（明細書第5頁左欄第46行〜右欄第6行）
　　
　これらの記載事項によれば、刊行物１には、以下のとおりの発明が記載されていると認められる。
（ソ）「原稿の画像を読み取る画像読み取り装置であって、カラー撮像装置と、前記原稿を照射する光源と、前記光源から照射されて原稿面で反射した光を前記カラー撮像装置に導きながら副走査方向に走査可能な手段とを備え、
　前記カラー撮像装置は、基板上に、複数の撮像素子を直線上に配列した撮像素子列を複数列互いに平行に配置してなる撮像素子群を赤色、緑色および青色のそれぞれに対応して備え、
　各撮像素子列は、撮像素子群内の他の撮像素子列に対して撮像素子の配列方向には個々の撮像素子のピッチＰの1/2だけずらして配置される一方、撮影素子の配列方向に対して垂直な副走査方向には一定のピッチＬ2で等間隔に配列されており、かつ、前記赤色、緑色および青色に対応した撮像素子群の第１の撮像素子列は互いに前記撮像素子の配列方向に対して垂直な副走査方向に一定のピッチＬ１で等間隔に配列されており、
　前記走査可能な手段は、前記赤色、緑色および青色のそれぞれに対応した全ての撮像素子列（図２のＲ１ライン、Ｒ２ライン、Ｇ１ライン、Ｇ２ライン、Ｂ１ライン、Ｂ２ライン）が原稿の同一ラインを読み取るよう走査可能であることを特徴とする画像読み取り装置。」
　　
　同じく当審が通知した取消の理由に引用した刊行物２（特開平9-271030号公報）は、ラインセンサによって被写体を撮像するラインセンサカメラに関するものであって、以下の事項を記載している。
（タ）添付図面の図６において、その右下部に「Ｗｌ：画素（正方画素の寸法）」と記載されるとともに、ラインセンサ31Aとラインセンサ31BのずれがＷｌ/2である旨、記載されている。
　　
　同じく当審が通知した取消の理由に引用した刊行物5（特開平7-111561号公報）は、カラー画像読み取り装置に関し、特に副走査方向の読み取り制御に関するものであり、従来の技術として以下の事項を記載している。
（チ）「例えば副走査方向に3列のイメージセンサが設けられ、各列に色分解フィルタが設けられた線順次型カラーイメージセンサを用いた場合、イメージセンサの副走査方向の走査速度を読み取り倍率に応じて可変すれば、先行して読み取られた色データと後で読み取られる色データとの時間差が読み取り倍率に応じて変化してしまうので、この時間差が主走査時間の整数倍にない限り、色がずれてしまう」（明細書第2頁右欄第10〜17行）
（ツ）「さらに図９は3ライン並列カラーセンサの構成図である。この従来例においては、ラインセンサ間の間隔は180μmで、センサ画素幅10μmであり、等倍読み取り時に必要な102、103の遅延メモリサイズは、それぞれR信号遅延メモリ102が36ラインメモリ、G信号遅延メモリ103が18ラインメモリである。」（明細書第2頁右欄第43〜49行）
　　
　同じく当審が通知した取消の理由に引用した刊行物4（特開昭57-141178号公報）は、ファクシミリなどに使用される固体撮像装置に関するものであって、以下の事項を記載している。
（テ）「第６図（a）において…光電変換素子の受光部以外は光しゃへい膜によっておおわれている。…一般に各画素間の光学的分離が十分であればある程MTF（Modulation　Transfer　Function）特性は向上するが、現実にこれを実現するためには隣り合う画素間に受光無効部分を形成する必要があり、」（明細書第3頁左下欄第17行〜右下欄11行）
　　
３） 対比・判断
３-１） 請求項１に係る発明
本件請求項１に係る発明と刊行物１に記載された発明とを対比すると、
「原稿の画像を読み取る画像読み取り装置であって、カラー撮像装置と、前記原稿を照射する光源と、前記光源から照射されて原稿面で反射した光を前記カラー撮像装置に導きながら副走査方向に走査可能な手段とを備え、
　前記カラー撮像装置は、基板上に、複数の撮像素子を直線上に配列した撮像素子列を複数列互いに平行に配置してなる撮像素子群を赤色、緑色および青色のそれぞれに対応して備え、
　それぞれの撮像素子群内において、各撮像素子列は他の撮像素子列に対して撮像素子の配列方向に小さくずらして配置される一方、撮像素子の配列方向に対して垂直な副走査方向には互いに一定のピッチで等間隔に配列され、
撮像素子群間で対応する各撮像素子列は、前記撮像素子の配列方向に対して垂直な副走査方向に互いに一定のピッチで等間隔に配列され、
　前記走査可能な手段は、前記赤色、緑色および青色のそれぞれに対応した全ての撮像素子列（刊行物１の図２でいえば、Ｒ１ライン、Ｒ２ライン、Ｇ１ライン、Ｇ２ライン、Ｂ１ライン、Ｂ２ライン）が原稿の同一ラインを読み取るよう副走査方向に走査可能であることを特徴とする画像読み取り装置。」の点で一致し、以下の点で相違する。
　　
（ナ）本件請求項１に係る発明が、「反射する複数のミラーと、前記ミラーで反射した光を集光する集光レンズと、カラー撮像装置、光源、前記ミラーおよび前記集光レンズが搭載されているキャリッジと、前記キャリッジを移動可能な駆動装置」を備えるのに対し、刊行物１には、明記がない点（相違点１）。
　　
（ニ）撮像素子の配列方向へのずらし幅に関し、本件請求項１に係る発明が、「個々の撮像素子の幅より小さくずらす」のに対し、刊行物１のものは、　　撮像素子のピッチPの1/2だけずらす点（相違点2）。
　　
（ヌ）撮像素子列の副走査方向の配列間隔に関し、本件請求項１に係る発明では、「すべての撮像素子列間が個々の撮像素子の高さの２倍以上の整数倍であって、一定のピッチで等間隔に配列される」のに対し、刊行物１では、「各撮像素子群内の撮像素子列間はそれぞれ等間隔（L2）および各撮像素子群間の対応する撮像素子列間はそれぞれ等間隔（L1）」とするにとどまる点（相違点3）。
　　
（ネ）キャリッジの駆動速度に関し、本件請求項１に係る発明では、「原稿の１ラインを読み取るごとにキャリッジを副走査方向へ撮像素子列の幅１列分だけ移動させる第１の速度で駆動可能、かつ撮像素子列のすべてが同一ラインを読み取るように前記第１の速度の整数倍の第２の速度でキャリッジを駆動可能」であるのに対し、刊行物１のものでは、「赤色、緑色および青色のそれぞれに対応した全ての撮像素子列（図２のＲ１ライン、Ｒ２ライン、Ｇ１ライン、Ｇ２ライン、Ｂ１ライン、Ｂ２ライン）が原稿の同一ラインを読み取るよう走査する」にとどまる点（相違点4）。
　　
相違点1〜4について、以下検討する。
（相違点1について）
画像読み取り装置において、反射する複数のミラーと、前記ミラーで反射した光を集光する集光レンズと、カラー撮像装置、光源、前記ミラーおよび前記集光レンズが搭載されているキャリッジと、前記キャリッジを移動可能な駆動装置を備えるものは、本願出願前に周知である。この点、必要なら例えば特開平8-223371号公報（特にその図21に注目）を参照されたい。
　　
（相違点2について）
「個々の撮像素子の幅より小さくずらす」点は、上記（タ）で指摘したように、刊行物２に記載されている。刊行物１と２は、複数のラインセンサからなり、複数の撮像素子列間の主走査方向の解像度を倍増させるために撮像素子列の主走査方向の配置を互いに少しずらす点で共通の課題・解決手法を有するから、刊行物２のものを刊行物１のものに適用する点は、当業者が容易に想到し得たことである。
　　
（相違点3について）
　まず、並列ラインセンサを有した画像読み取り装置において、撮像素子列間の副走査方向の間隔を個々の撮像素子の高さの２倍以上の整数倍とする点については、上記（チ）で指摘した刊行物５の図９（撮像素子の高さ10μmに対し間隔180μmで18倍）や図2（撮像素子の高さ14μmに対し間隔168μmで12倍）において実質的に記載されていると認められる。このほか、刊行物２（特開平9-271030号公報）の図８にも記載があるなど、この点は本願出願前に周知のものとも認められる。
　　
　次に、すべての素子列間を等間隔にする点について検討すると、刊行物１のものも、上記（セ）の記載から、赤色、緑色および青色に対応したそれぞれの撮像素子群の全ての撮像素子列（図２のＲ１ライン、Ｒ２ライン、Ｇ１ライン、Ｇ２ライン、Ｂ１ライン、Ｂ２ライン）が、原稿の同一ラインを読み取っていることが明らかである。
　ここで、原稿の同一ラインを読み取る手順を推定すると、先ずＲ１ラインが読み取り、その後Ｒ１からＬ2隔てたＲ２ラインが原稿の同一ラインを読み取り、続いてＲ2からＬ1-Ｌ2隔てたＧ１ラインが原稿の同一ラインを読み取り、更に続いてＧ1からＬ2隔てたＧ2ラインが原稿の同一ラインを読み取るというように、互いに間隔Ｌ2、Ｌ1-Ｌ2、Ｌ2、Ｌ1-Ｌ2、Ｌ2離れた６つの撮像素子列ラインＲ１、Ｒ２、Ｇ１、Ｇ２、Ｂ１、Ｂ２が順次原稿の同一ラインを読み取っていくと認められる。即ち、原稿の同一ラインを読み取るという点において、上記６本のラインにはラインによって異なる扱いを施すべき理由が見当たらない。すると、他に阻害要因がなければ、上記間隔は同じとすることが普通であるところ、刊行物１の図２を参照するに、R〜Ｂ用の各フィルターを各列撮像素子上に有せしめる際に、上記阻害要因になるものは見出せない。
　　
　そして、刊行物１、5のものは、並列ラインセンサを有した画像読み取り装置において共通するから、刊行物5のものを刊行物１のものに適用する点は、当業者が容易に想到し得たことである。
　よって、上記６本のライン（本件請項１のすべての撮像素子列に相当）をすべて同一の間隔で配列することは、当業者が普通に設計し得た設計事項である。
　　
（相違点4について）
　先ず副走査方向の走査速度について、原稿の１ラインを読み取るごとに副走査方向へ撮像素子列の幅１列分だけ移動させる第１の速度で走査する点は、刊行物5の上記（ツ）に記載された「等倍読み取り」において実質的に記載があると認められる。図９も参照して説明すると、ここでは、Bカラーセンサが読み取った先行の原稿ラインと同じラインをGカラーセンサが読み取るまで副走査方向に18回走査（なぜならば、遅延メモリ103は18ラインメモリのサイズ）する必要があり、同じくBカラーセンサが読み取った先行の原稿ラインと同じラインをGカラーセンサが読み取るまで副走査方向に36回走査（なぜならば、遅延メモリ102は36ラインメモリのサイズ）する必要があること、及び１ラインを読み取るごとに10μm（180μm÷18回、または360μm÷36回）だけ移動することが明らかである。
　　
　次に、第１の速度の整数倍の速度で副走査方向に走査する点は、上記（チ）において実質的に記載されたものと認められる。特に「先行して読み取られた色データと後で読み取られる色データとの時間差が主走査時間の整数倍であることが必要」との記載に注目されたい。ここで、主走査時間とは、等倍読み取りにおける１ライン分の読み取り速度、即ち上記第１の速度に相当していることが明らかである。
　そして、刊行物１、5のものは、並列ラインセンサを有した画像読み取り装置において共通するから、刊行物5のものを刊行物１のものに適用する点は、当業者が容易に想到し得たことである。
　なお、これらの点は、刊行物５における従来例の欄に記載されたものであることからも示唆されるように、当該技術分野において本願出願前に周知のものとも認められる。
　　
　そして、本件請求項１に係る発明の効果は上記刊行物1、2、5に記載されたものから、当業者であれば予測することができる程度のものであって格別のものとはいえない。
　　
３-２） 請求項２に係る発明
　本件請求項2に係る発明と刊行物１に記載された発明とを対比すると、上記請求項１に係る発明において指摘した一致点において一致し、上記相違点1〜4において相違するほか、撮像素子列のずらし幅について、本件請求項2に係る発明が「撮像素子の幅のほぼ半ピッチ」ずらすのに対し、刊行物１のものは、「撮像素子のピッチPの半ピッチ」ずらす点で相違（相違点5）する。
　しかし、相違点１〜4については、上記請求項１に係る発明において指摘したとおりであるほか、相違点5についても、上記（相違点２について）で指摘したように、刊行物２に記載されている。
　　
　そして、刊行物１、5のものは、並列ラインセンサを有した画像読み取り装置において共通するから、刊行物5のものを刊行物１のものに適用する点は、当業者が容易に想到し得たことである。
　加えて、本件請求項2に係る発明の効果は上記刊行物1、2、5に記載されたものから、当業者であれば予測することができる程度のものであって格別のものとはいえない。
　　
３-３） 請求項３に係る発明
　本件請求項3に係る発明と刊行物１に記載された発明とを対比すると、上記請求項１に係る発明において指摘した一致点において一致し、上記相違点1〜4または1〜5において相違するほか、本件請求項3に係る発明が「撮像素子の受光面側に前記撮像素子の受光面積よりも小さい開口部を有し、撮像素子の周縁部への光を遮るシールド部を備える」のに対し、刊行物１にはこの点記載がない点で相違（相違点6）する。
　　
　しかし、相違点１〜4または1〜5については、上記請求項１または2に係る発明において指摘したとおりである。
　次に、相違点6については、上記（テ）の記載を参照すると、刊行物４の「光しゃへい膜」や「受光無効部分」が本件発明のシールド部に相当することが明らかであるから、実質的に刊行物４に記載されているということができる。
　そして、刊行物4のものは、画像読取装置における撮像装置という点で刊行物１のものと共通するから、刊行物4のものを刊行物１のものに適用することは当業者が容易に想到し得ることである。・
　　
　加えて、本件請求項3に係る発明の効果は上記刊行物1、2、4、5に記載されたものから、当業者であれば予測することができる程度のものであって格別のものとはいえない。
　　
４） むすび
　上記により、本件訂正明細書の請求項１〜3に係る発明は、刊行物1、2、4、5に記載された発明に基いて、当業者が容易に発明することができたものであるから、本件訂正明細書の請求項１〜３に係る発明の特許は、特許法第29条第２項の規定に違反してされたものであり、同法第113条第２項の規定に該当し、取り消すべきものである。
　　
　よって、結論のとおり決定する。
【異議決定日】
平成１３年３月１３日（２００１．３．１３）
【訂正の要旨】
訂正の要旨
　特許第２９８５９５９号発明の明細書中の特許請求の範囲の請求項１〜５において、特許請求の範囲の減縮を目的として、以下ｂのとおり訂正するほか、明りょうでない記載の釈明を目的として以下ａ、ｃ〜ｎのとおり、また誤記の訂正を目的として以下ｏ、ｐのとおり訂正する。
　ａ．　発明の名称
　発明の名称「カラー撮像装置およびそれを用いた画像読み取り装置」を、「画像読み取り装置」に訂正する。
　ｂ．　特許請求の範囲
　特許請求の範囲、「【請求項１】　基板上に、複数の撮像素子を直線状に配列した撮像素子列を複数列互いに平行に配置してなる撮像素子群を複数の色のそれぞれに対応して備え、
　各撮像素子列は撮像素子群内の他の撮像素子列に対して撮像素子の配列方向に個々の撮像素子の幅より小さくずらして配置され、
　前記複数の撮像素子列は互いに前記撮像素子の配列方向に対して垂直方向に個々の撮像素子の高さの２倍以上の整数倍のピッチで配列されていることを特徴とするカラー撮像装置。
　【請求項２】　前記撮像素子群は、赤、緑および青のそれぞれに対応して設けられることを特徴とする請求項１記載のカラー撮像装置。
　【請求項３】　前記撮像素子群は、第１の素子列と第２の素子列とからなり、前記第１の素子列に対して前記第２の素子列は個々の撮像素子の幅のほぼ半ピッチずらして配置されていることを特徴とする請求項１または２記載のカラー撮像装置。
　【請求項４】　撮像素子の受光面積よりも小さい開口部を有し、撮像素子の周縁部への光を遮るシールド部を備えることを特徴とする請求項１、２または３記載のカラー撮像装置。
　【請求項５】　請求項１〜４のいずれか一項記載のカラー撮像装置と、
　原稿を照射する光源と、
　前記光源から照射され、原稿面で反射あるいは原稿面を透過した光を反射する複数のミラーと、
　前記ミラーで反射した光を前記カラー撮像装置に集光する集光レンズと、
　を備えることを特徴とする画像読み取り装置。」を、
　「【請求項１】　原稿の画像を読み取る画像読み取り装置であって、
　カラー撮像装置と、前記原稿を照射する光源と、前記光源から照射されて原稿面で反射あるいは原稿面を透過した光を反射する複数のミラーと、前記ミラーで反射した光を前記カラー撮像装置に集光する集光レンズと、前記カラー撮像装置、前記光源、前記ミラーおよび前記集光レンズが搭載されているキャリッジと、前記キャリッジを移動可能な駆動装置とを備え、
　前記カラー撮像装置は、基板上に、複数の撮像素子を直線状に配列した撮像素子列を複数列互いに平行に配置してなる撮像素子群を赤色、緑色および青色のそれぞれに対応して備え、各撮像素子列は撮像素子群内の他の撮像素子列に対して撮像素子の配列方向に個々の撮像素子の幅より小さくずらして配置され、前記赤色、緑色および青色に対応したすべての撮像素子列は互いに前記撮像素子の配列方向に対して垂直な副走査方向に個々の撮像素子の高さの２倍以上の整数倍の一定のピッチで等間隔に配列されており、
　前記駆動装置は、前記原稿の１ラインを読み取るごとに前記キャリッジを前記副走査方向へ前記撮像素子列の幅１列分だけ移動させる第１の速度で駆動可能、かつ前記撮像素子列のすべてが同一ラインを読み取るように前記第１の速度の整数倍の第２の速度で前記キャリッジを駆動可能であることを特徴とする画像読み取り装置。
　【請求項２】　前記撮像素子群は、第１の素子列と第２の素子列とからなり、前記第１の素子列に対して前記第２の素子列は個々の撮像素子の幅のほぼ半ピッチずらして配置されていることを特徴とする請求項１記載の画像読み取り装置。
　【請求項３】　前記カラー撮像装置は、撮像素子の受光面側に前記撮像素子の受光面積よりも小さい開口部を有し、撮像素子の周縁部への光を遮るシールド部を備えることを特徴とする請求項１または２記載の画像読み取り装置。」と訂正する。
　ｃ．　特許第２９８５９５９号の明細書中３カ所の字句を請求書に添付された訂正明細書のとおりに、すなわち明細書原本における第３ページ第２６行〜２７行（特許第２９８５９５９号公報第２ページ第４欄第７行〜８行）、第４ページ第１行（特許第２９８５９５９号公報第２ページ第４欄第２０行）、同第１５行（同第３６行）、同第２０行（同第４２行）の「カラー撮像装置」をいずれも「画像読み取り装置」と訂正する。
　ｄ．　特許第２９８５９５９号の明細書を請求書に添付された訂正明細書のとおりに、すなわち明細書原本における第４ページ第１行（特許第２９８５９５９号公報第２ページ第４欄第２０行）の「各色に」を「赤色、緑色および青色に」と訂正する。
　ｅ．　特許第２９８５９５９号の明細書を請求書に添付された訂正明細書のとおりに、すなわち明細書原本における第４ページ第４行（特許第２９８５９５９号公報第２ページ第４欄第２５行）の「複数の」を「すべての」と訂正する。
　ｆ．　特許第２９８５９５９号の明細書を請求書に添付された訂正明細書のとおりに、すなわち明細書原本における第４ページ第５行（特許第２９８５９５９号公報第２ページ第４欄第２６行）の「垂直」と「方向」との間に「な副走査」の４文字を挿入する。
　ｇ．　特許第２９８５９５９号の明細書を請求書に添付された訂正明細書のとおりに、すなわち明細書原本における第４ページ第６行（特許第２９８５９５９号公報第２ページ第４欄第２７行）の「整数倍の」と「ピッチ」との間に「一定の」の３文字を挿入する。
　ｈ．　特許第２９８５９５９号の明細書を請求書に添付された訂正明細書のとおりに、すなわち明細書原本における第４ページ第６行（特許第２９８５９５９号公報第２ページ第４欄第２７行）の「ピッチで」と「配列」との間に「等間隔で」の４文字を挿入する。
　ｉ．　特許第２９８５９５９号の明細書を請求書に添付された訂正明細書のとおりに、すなわち明細書原本における第４ページ第６行（特許第２９８５９５９号公報第２ページ第４欄第２７行）の「ため、」と「原稿」との間に「駆動装置によりキャリッジを」の１３文字を挿入する。
　ｊ．　特許第２９８５９５９号の明細書を請求書に添付された訂正明細書のとおりに、すなわち明細書原本における第４ページ第６行（特許第２９８５９５９号公報第２ページ第４欄第２７〜２８行）の「カラー撮像装置を」の８文字を削除する。
　ｋ．　特許第２９８５９５９号の明細書を請求書に添付された訂正明細書のとおりに、すなわち明細書原本における第４ページ第１１行（特許第２９８５９５９号公報第２ページ第４欄第３２〜３３行）の「本発明の請求項２記載のカラー撮像装置によれば」を「また」と訂正する。
　ｌ．　特許第２９８５９５９号の明細書を請求書に添付された訂正明細書のとおりに、すなわち明細書原本における第４ページ第１５行（特許第２９８５９５９号公報第２ページ第４欄第３６行）の「請求項３」を「請求項２」と訂正する
　ｍ．　特許第２９８５９５９号の明細書を請求書に添付された訂正明細書のとおりに、すなわち明細書原本における第４ページ第２０行（特許第２９８５９５９号公報第２ページ第４欄第４２行）の「請求項４」を「請求項３」と訂正する。
　ｎ．　特許第２９８５９５９号の明細書を請求書に添付された訂正明細書のとおりに、すなわち明細書原本における第４ページ第２５〜２７行（特許第２９８５９５９号公報第２ページ第４欄第４８行〜同第３ページ第５欄第２行）の「本発明〜できる。」を削除する。
　ｏ．　特許第２９８５９５９号の明細書を請求書に添付された訂正明細書のとおりに、すなわち明細書原本における第５ページ第１１行（特許第２９８５９５９号公報第３ページ第５欄第１５行）の「ミラー６０」を「ミラー６」に訂正する。
　ｐ．　特許第２９８５９５９号の明細書を請求書に添付された訂正明細書のとおりに、すなわち明細書原本における第６ページ第２９行（特許第２９８５９５９号公報第３ページ第６欄第２６行）、同第７ページ第２０行（同第４ページ第７欄第１行）、および同第１０ページ第８〜９行（同第４ページ第８欄４２行）の「信号処理装置」をいずれも「信号処理部」と訂正する。
（５４）【発明の名称】
画像読み取り装置
（５７）【特許請求の範囲】
　【請求項１】　原稿の画像を読み取る画像読み取り装置であって、
　カラー撮像装置と、前記原稿を照射する光源と、前記光源から照射されて原稿面で反射あるいは原稿面を透過した光を反射する複数のミラーと、前記ミラーで反射した光を前記カラー撮像装置に集光する集光レンズと、前記カラー撮像装置、前記光源、前記ミラーおよび前記集光レンズが搭載されているキャリッジと、前記キャリッジを移動可能な駆動装置とを備え、
　前記カラー撮像装置は、基板上に、複数の撮像素子を直線状に配列した撮像素子列を複数列互いに平行に配置してなる撮像素子群を赤色、緑色および青色のそれぞれに対応して備え、各撮像素子列は撮像素子群内の他の撮像素子列に対して撮像素子の配列方向に個々の撮像素子の幅より小さくずらして配置され、前記赤色、緑色および青色に対応したすべての撮像素子列は互いに前記撮像素子の配列方向に対して垂直な副走査方向に個々の撮像素子の高さの２倍以上の整数倍の一定のピッチで等間隔に配列されており、
　前記駆動装置は、前記原稿の１ラインを読み取るごとに前記キャリッジを前記副走査方向へ前記撮像素子列の幅１列分だけ移動させる第１の速度で駆動可能、かつ前記撮像素子列のすべてが同一ラインを読み取るように前記第１の速度の整数倍の第２の速度で前記キャリッジを駆動可能であることを特徴とする画像読み取り装置。
　【請求項２】　前記撮像素子群は、第１の素子列と第２の素子列とからなり、前記第１の素子列に対して前記第２の素子列は個々の撮像素子の幅のほぼ半ピッチずらして配置されていることを特徴とする請求項１記載の画像読み取り装置。
　【請求項３】　前記カラー撮像装置は、撮像素子の受光面側に前記撮像素子の受光面積よりも小さい開口部を有し、撮像素子の周縁部への光を遮るシールド部を備えることを特徴とする請求項１または２記載の画像読み取り装置。
【発明の詳細な説明】
　【０００１】
　【発明の属する技術分野】
　本発明は、画像読み取り装置などに用いられるカラー撮像装置に関するものである。
　【０００２】
　【従来の技術】
　従来より、多数の撮像素子を直線的に並べてなり、色の３原色のそれぞれを読み取る３本のＣＣＤなどのラインセンサを備えるカラー撮像装置を搭載したキャリッジを、原稿面に対して平行に移動させ、原稿の画像を読み取る画像読み取り装置が知られている。
　【０００３】
　例えば、フラットベッド型の画像読み取り装置の場合、箱型の筐体の上面に原稿を置くためのガラス等の透明板からなる原稿台が設けられており、筐体の内部には、駆動装置により原稿台に平行に移動するキャリッジが設けられている。このキャリッジには、光源と上記のカラー撮像装置とが搭載されている。光源の照射光は、原稿台上の原稿表面で反射され、集光レンズによりカラー撮像装置に集光されるようになっている。
　【０００４】
　上記のような画像読み取り装置において、ＣＣＤにおける撮像素子の配列方向である主走査方向の読み取り解像度を向上させるためには、ＣＣＤを構成する撮像素子の数を増やす必要があるが、個々の素子の大きさが同じで数を増加させた場合はＣＣＤが大型化し、光学系設計の負荷が増大してコスト増になるという問題があった。また、それぞれの素子を小型化した場合には、製造上の限界が発生するという問題があった。
　【０００５】
　特開昭和５８−１９０８１号公報には、第１列の光検知器と、第１列の光検知器に対して個々の光検知器の約半分の幅だけずれて配置された第２列の光検知器とを備えるＣＣＤイメージセンサが開示されている。このＣＣＤイメージセンサでは、第１列の光検知器と、第２列の光検知器とは副走査方向に隣接して配置されている。
　【０００６】
　【発明が解決しようとする課題】
　しかしながら、特開昭５８−１９０８１号公報に開示されるように、第１列の光検知器と第２列の光検知器とが副走査方向に密接して配置されるＣＣＤイメージセンサを用いると、第１列の光検知器と第２列の光検知器とで、原稿上の同一ラインを読取るためには、１ライン読み取り毎に素子の高さの分だけキャリッジを移動させる必要があった。
　【０００７】
　一般に画像読み取り装置において、副走査方向の読み取り解像度は、各列の光検知器が１ラインを読み取るのに要する時間とキャリッジの移動速度とにより決定される。このため、副走査方向に低解像度で読取るときはキャリッジを高速で移動させる。
　【０００８】
　しかし、第１列の光検知器と第２列の光検知器とが副走査方向に密着、あるいは近接して配置されるＣＣＤイメージセンサを備えた画像読み取り装置では、原稿を主走査方向に高解像度で読み取り、副走査方向に低解像度で読み取る場合、キャリッジを高速で移動させると、第１列の光検知器と第２列の光検知器とで読み取るラインが異なり、正確に画像を読み取ることができないという問題がある。これは、第１列および第２列の光検知器の副走査方向の配置、すなわち第１列および第２列の光検知器の間隔が考慮されていないためである。したがって、特開昭５８−１９０８１号公報に開示されるＣＣＤイメージセンサを備えた画像読み取り装置においては、副走査方向に低解像度で読み取る場合、正確に画像を読み取るため、高解像度で読み取るときと同様に低速でキャリッジを移動させる必要があり、読み取りに長時間を要するという問題があった。
　【０００９】
　本発明は、上記の問題を解決するためになされたものであり、主走査方向の解像度を向上させ、かつ副走査方向に低解像度での読み取りを高速に行う画像読み取り装置を提供することを目的とする。
　【００１０】
　【課題を解決するための手段】
　本発明の請求項１に記載の画像読み取り装置によれば、赤色、緑色および青色に対応した撮像素子群内で各撮像素子列は他の撮像素子列に対して撮像素子の配列方向に個々の撮像素子の幅よりも小さくずらして配置されているため、原稿を撮像素子の配列方向、すなわち主走査方向に高解像度で読み取ることができる。また、すべての撮像素子列は互いに撮像素子の配列方向に対して垂直な副走査方向に個々の撮像素子の高さの２倍以上の一定の整数倍のピッチで等間隔に配列されているため、駆動装置によりキャリッジを原稿に対して主走査方向と垂直方向の副走査方向に相対的に移動させるときに、整数倍の速度で移動させても全ての撮像素子列が原稿上の同じラインを読み取ることができるため、低解像度で高速に読み取りが可能となる。
　【００１１】
　また、撮像素子群は、赤、緑および青のそれぞれに対応して設けられるため、原稿からの光を色の３原色に分解して読み取ることができる。
　【００１２】
　本発明の請求項２記載の画像読み取り装置によれば、撮像素子群は、第１の素子列と第２の素子列とからなり、第１の素子列と第２の素子列は互いに個々の撮像素子の幅のほぼ半ピッチずらして配置されるため、主走査方向の読み取り解像度を２倍にすることができる。
　【００１３】
　本発明の請求項３記載の画像読み取り装置によれば撮像素子の受光面積よりも小さい開口部を有し撮像素子の周縁部への光を遮るシールド部を備えるため、原稿上で複数の撮像素子に重複して読み取られる範囲が減少し、読み取り解像度を実質的に向上させることができる。
　【００１４】
　【００１５】
　【発明の詳細な説明】
　以下、本発明の複数の実施例を図面に基づいて詳細に説明する。
　【００１６】
　（第１実施例）
　図２は本発明の第１実施例のキャリッジ固定装置を適用したキャリッジ移動型のフラットベッド型画像読み取り装置を示す概略図である。
　【００１７】
　箱型の筐体２の上面に、ガラス等の透明板からなる原稿台１が設けられている。筐体２の内部には、図示しない駆動装置により原稿台１に対して平行に往復移動可能なキャリッジ３が設けられ、このキャリッジ３に光源４とカラー撮像装置５とが搭載されている。光源４の照射光は原稿台１上の原稿８の表面で反射され、複数のミラー６で反射した後、集光レンズ７によりカラー撮像装置５に集光されるようになっている。カラー撮像装置５は、赤（Ｒ：Ｒｅｄ）、緑（Ｇ：Ｇｒｅｅｎ）および青（Ｂ：Ｂｌｕｅ）の光をそれぞれ電気信号に変換して出力する。複数のミラー６で反射させることにより、原稿８から集光レンズ７までの光路長を大きくしている。原稿台１のキャリッジ３移動方向の端部には、高反射率均一反射面を有する白基準９が設けられている。
　【００１８】
　キャリッジ３を副走査方向に移動させつつカラー撮像装置５から出力された電気信号を検出し、信号処理部１０で処理した後にインターフェイス１５から外部の画像処理装置に転送することにより原稿８の画像を読み取ることができる。
　【００１９】
　図１は、本実施例のカラー撮像装置５を示す概略図である。カラー撮像装置５は、Ｒ、Ｇ、Ｂのそれぞれの光を読み取る撮像素子群を備え、各撮像素子群は、光電変換素子などの撮像素子をキャリッジの移動方向と垂直に直線的に複数個配列して構成される第１の素子列としての第１の光電変換素子列５１、５３、５５と、第２の素子列としての第２の光電変換素子列５２、５４、５６との２列の光電変換素子列等の撮像素子列を含む。本実施例では、各撮像素子は８μｍ×８μｍの正方形であるため、各光電変換素子列の１列の幅は８μｍである。それぞれの撮像素子群において、第１の光電変換素子列５１、５３、５５と、第２の光電変換素子列５２、５４、５６とは、主走査方向に個々の素子の幅の半分の４μｍだけずらして配置されている。
　【００２０】
　各撮像素子群において、第１の光電変換素子列５１、５３、５５と第２の光電変換素子列５２、５４、５６は、撮像素子の高さの４倍の３２μｍ、すなわち光電変換素子列の幅４列分のピッチで配置されている。また、Ｒを読み取る撮像素子群の第２の光電変換素子列５２とＧを読み取る撮像素子群の第１の光電変換素子列５３とは、光電変換素子列の幅４列分のピッチで配置されており、Ｇを読み取る撮像素子群の第２の光電変換素子列５４とＢを読み取る撮像素子群の第１の光電変換素子列５５とは、光電変換素子列の幅４列分のピッチで配置されている。従って、６列の光電変換素子列５１　５６が互いに隣接する光電変換素子列に対して光電変換素子列の幅４列分のピッチで等間隔に配置されている。
　【００２１】
　各光電変換素子列に蓄積された電荷は、所定の間隔で発生される駆動信号に同期して、転送ゲート５１１、５２１、５３１、５４１、５５１、５６１を介してシフトレジスタ５１２、５２２、５３２、５４２、５５２、５６２に転送される。各光電変換素子列では次の読み取りラインからの光による電荷の蓄積が始まり、各シフトレジスタに転送された電荷は１素子毎に順に出力部５７１、５７２、５７３から出力される。
　【００２２】
　本実施例では、各光電変換素子列は、主走査方向に６００ｄｐｉ（ｄｏｔ　ｐｅｒ　ｉｎｃｈ）の解像度で原稿８を読み取ることができるように組み付けられている。そのため、本実施例のカラー撮像装置５は、Ｒ、Ｇ、Ｂのそれぞれについて、第１の光電変換素子列５１、５３、５５により読み取ったデータと、光電変換素子列の幅４列分だけキャリッジ３が移動した位置で第２の光電変換素子列５２、５４、５６により読み取ったデータとを合成することにより、１ラインを１２００ｄｐｉの解像度で読み取ることができる。
　【００２３】
　カラー撮像装置５から出力された電荷は、図３に示すような信号処理部１０で処理される。Ａ／Ｄ変換部１２は、増幅器１１を介して入力したカラー撮像装置５からのデータをデジタル信号に変換してシェーディング補正部１３に渡すものである。このデジタル信号は、例えば読み取り階調が１０ビットの場合は、０〜１０２３までの数値を示す信号となる。シェーディング補正部１３は、読み取り開始前に白基準９を読み取ったデータを用いて、光電変換素子列の素子毎に感度のばらつきや光源の光量のばらつきを補正する。ガンマ補正部１３では、所定のガンマ関数によりガンマ補正が行われ、シェーディング補正部１３から出力された光量信号を画像信号に変換する。その他の補正部１７では、色補正、エッジ強調および領域拡大／縮小等の諸変換を行う。
　【００２４】
　次に、上記のように構成された画像読み取り装置の動作を説明する。
　使用者は、この画像読み取り装置のインターフェイス１５に図示しないパーソナルコンピュータを接続し、原稿台１に原稿８を置いて、パーソナルコンピュータから原稿の読み取り範囲や読み取り解像度を指定して読み取りの実行を指令する。
　【００２５】
　読み取りの実行が指令されると、制御装置１４は光源４を点灯させ、キャリッジを各光電変換素子列の各素子の配列方向に対して垂直に一定の速度で移動させる。所定の時間毎に発生される駆動信号により１ラインの画像がカラー撮像装置５の各光電変換素子列に読み取られ、信号処理部１０に出力される。副走査方向の読み取り解像度は、各光電変換素子列が１ラインを読み取るのに要する時間とキャリッジ３の移動速度とにより決定される。例えば、キャリッジ３が原稿８の１ライン読み取り毎に光電変換素子列の幅１列分だけ移動することにより、副走査方向に６００ｄｐｉの解像度で原稿を読み取ることができる。
　【００２６】
　本実施例では、各光電変換素子列は副走査方向に光電変換素子列の幅４列分のピッチで配置されているため、光電変換素子列の読み取り解像度が６００ｄｐｉの場合、副走査方向に３００ｄｐｉまたは１５０ｄｐｉの解像度で高速で読み取るために、キャリッジ３を６００ｄｐｉで読み取る時の２倍または４倍の速度で移動させても、全ての光電変換素子列５１〜５６が同じラインを読取ることができる。そのため、主走査方向に高解像度で読み取り、かつ副走査方向に低解像度で読み取るときに、高速で読み取ることができる。
　【００２７】
　（第２実施例）
　図４は本発明の第２実施例のカラー撮像装置５の光電変換素子列５１を示す。（Ａ）は平面図であり、（Ｂ）は側面断面図である。
　【００２８】
　本実施例では、各光電変換素子列の受光面側には、各素子の受光面積よりも小さい開口部を有し、各素子の周縁部への光を遮るシールド部５８が設けられている。図４では、光電変換素子列５１に設けられるシールド部５８を示しているが、他の光電変換素子列５２　５６にも同様にシールド部が設けられる。シールド部５８は金属板により形成され、７μｍ×７μｍの正方形の開口部５８１が形成されている。その他の構成は、第１実施例と同様である。
　【００２９】
　シールド部５８により、各素子の周縁部への光が遮られることにより、原稿上で複数の素子により重複して読み取られる部分が減少するため、実質的な解像度を向上させることができる。また、各素子は、周縁部よりも中央部の方が感度が高いため、受光面積の低下による感度の低下を最小限にすることができる。
　【００３０】
　以上説明した本発明の上記複数の実施例では、各光電変換素子列を列の幅４列分のピッチで配置したが、２列ピッチ以上の任意の整数列ピッチで配置することができる。例えば、主走査方向の読み取り解像度が６００ｄｐｉの光電変換素子列を用いた場合、各光電変換素子列を２列ピッチで配置すると、副走査方向の読み取り解像度が６００ｄｐｉのときの２倍の速度で光電変換素子列を搭載したキャリッジを移動させ、３００ｄｐｉの解像度で高速に読み取ったときに、各光電変換素子列が原稿上の同じラインを読取ることができる。また、光電変換素子列を３列ピッチで配置すると、２００ｄｐｉの解像度で高速で読み取ったときに、各光電変換素子列が同じラインを読取ることができる。また、光電変換素子列を６列ピッチで配置すると、３００ｄｐｉ、２００ｄｐｉおよび１００ｄｐｉの解像度で高速で読み取ったときに、各光電変換素子列が同じラインを読取ることができる。その他の読み取り解像度の光電変換素子列を用いた場合や、光電変換素子列１列の幅の他の整数倍ピッチで光電変換素子列を配置した場合でも同様である。
　【００３１】
　上記複数の実施例では、Ｒ、Ｇ、Ｂの各色の撮像素子群を２列の光電変換素子列により構成し、第１の光電変換素子列と第２の光電変換素子列とを個々の素子の長さのほぼ半ピッチずらして配置することにより主走査方向の解像度を約２倍に向上させた撮像装置に本発明を適用したが、各色の撮像素子群を３列、４列またはそれ以上の光電変換素子列により構成した場合でも、各光電変換素子列を副走査方向に列の幅の整数倍のピッチで等間隔に配置することにより、副走査方向に低解像度で高速で読み取るという本発明の効果を得ることができる。例えば、光電変換素子列が３列の場合、第１の光電変換素子列と第２の光電変換素子列とで個々の素子の長さのほぼ３分の１ピッチずらし、第２の光電変換素子列と第３の光電変換素子列とで個々の素子の長さのほぼ３分の１ピッチずらして配置することにより主走査方向の解像度が約３倍に向上する。光電変換素子列が４列の場合も同様に個々の素子の長さのほぼ４分の１ピッチずつずらして配置することにより、主走査方向の解像度を約４倍に向上させることができる。
　【００３２】
　また、上記複数の実施例では、Ｒ、Ｇ、Ｂの各色の撮像素子群に対応して１つずつの出力部を設けたが、各光電変換素子列毎に１つずつの出力部を設けてもよい。
　【００３３】
　また、上記複数の実施例では、キャリッジ移動型のフラットベッド型画像読み取り装置に本発明を適用したが、カラー撮像装置と集光レンズを固定し光源および反射ミラー群を移動させるミラー移動型のフラットベッド型画像読み取り装置に本発明を適用することは可能であるし、原稿を移動させて読み取るシートフィード型など他の画像読み取り装置に本発明を適用することも可能である。
【図面の簡単な説明】
　【図１】
　本発明の第１実施例によるカラー撮像装置を示す模式図である。
　【図２】
　本発明の第１実施例のカラー撮像装置を適用した画像読み取り装置を示す概略図である。
　【図３】
　本発明の第１実施例のカラー撮像装置を適用した画像読み取り装置の信号処理部を示すブロック図である。
　【図４】
　本発明の第２実施例によるカラー撮像装置の撮像素子列を示す平面図および側面断面図である。
　【符号の説明】
　　　１　　原稿台
　　　２　　筐体
　　　３　　キャリッジ
　　　４　　光源
　　　５　　カラー撮像装置
　　５１、５３、５５　　第１の光電変換素子列（撮像素子列、第１の素子列）
　　５２、５４、５６　　第２の光電変換素子列（撮像素子列、第２の素子列）
　５１１、５２１、５３１、５４１、５５１、５６１　　転送ゲート
　５１２、５２２、５３２、５４２、５５２、５６２　　シフトレジスタ
　５７１、５７２、５７３　　出力部
　　５８　　シールド部
　５８１　　開口部
　　　６　　ミラー
　　　７　　集光レンズ
　　　８　　原稿
　　　９　　白基準
　　１１　　増幅器
　　１２　　Ａ／Ｄ変換部
　　１３　　シェーディング補正部
　　１４　　ガンマ補正部
　　１５　　インターフェイス
　　１７　　その他の補正部